(57)【要約】  本発明のカップリング（１０）は、第１端（２６）、第２端（３０）及びその間に位置する襞（１４，１８，２２）を有し、単一均質片から形成された金属製のカップリングである。本発明の方法は、単一均質片から可撓性のあるカップリングを製造する方法であって、原初素材を機械加工することによって、単一均質片から形成され連結用の第１端（２６）、第２端（３０）及びそれらに連なる１個又は複数個の襞を有し可撓性のあるカップリングを、１個又は複数個形成する工程を有する。
2008516174.tif 000002
【特許請求の範囲】
【請求項１】
第１端、第２端及びその間に位置する襞を有し均質な単一片から形成された金属製のカップリング。
【請求項２】
請求項１記載のカップリングであって、その軸からの放射方向距離によって襞肉厚が異なるカップリング。
【請求項３】
請求項２記載のカップリングであって、その回転軸からの放射方向距離が小さな部分では襞肉厚が大きいカップリング。
【請求項４】
請求項１記載のカップリングであって、その内法が円筒状であるカップリング。
【請求項５】
請求項１記載のカップリングであって、第１端及び第２端に連結部が設けられたカップリング。
【請求項６】
請求項５記載のカップリングであって、第１端及び第２端の連結部がフランジであるカップリング。
【請求項７】
請求項５記載のカップリングであって、第１端及び第２端の連結部がスプライン型連結部であるカップリング。
【請求項８】
請求項１記載のカップリングであって、その放射方向外寄り位置に開口が少なくとも１個あるカップリング。
【請求項９】
可撓性のある金属製のカップリングであって、
第１端、第２端及びそれらに連なる第１襞を備え、
単一均質片によって形成されたカップリング。
【請求項１０】
請求項９記載のカップリングであって、チタン、耐食鋼、高力鋼、ニッケル系素材、炭素鋼及びマルエイジング鋼並びにそれらのうち少なくとも一種類を含む合成素材のうち、何れかの素材によって形成されたカップリング。
【請求項１１】
請求項９記載のカップリングであって、窒化により疲労耐性及び耐摩耗性を向上させたカップリング。
【請求項１２】
単一均質片から可撓性のあるカップリングを製造する方法であって、
原初素材を機械加工することによって、単一均質片から形成され連結用の第１端、第２端及びそれらに連なる１個又は複数個の襞を有し可撓性のあるカップリングを、１個又は複数個形成する工程を有する方法。
【請求項１３】
請求項１２記載の方法であって、上記機械加工が、コンピュータ制御による旋盤加工、放電加工及び電解加工のうち一種類を含む方法。
【請求項１４】
請求項１２記載の方法であって、カップリングを窒化する工程を有する方法。
【請求項１５】
請求項１２記載の方法であって、原初素材を予熱処理する工程を有する方法。
【請求項１６】
請求項１２記載の方法であって、カップリングを後熱処理する工程を有する方法。
【請求項１７】
請求項１２記載の方法であって、上記機械加工が、内表面と外表面とで異なる傾斜になるよう、カップリングの軸に対し各襞の外表面及び内表面を傾斜させる加工を含む方法。
【請求項１８】
請求項１２記載の方法であって、上記機械加工が、カップリングの軸からの放射方向距離の増大に応じたテーパを襞肉厚に付す加工を含む方法。
【請求項１９】
請求項１２記載の方法であって、カップリングの軸スティフネス及び曲げスティフネスを調整して振動数特性シフト又は共鳴振動数離調を引き起こす工程を有する方法。
【請求項２０】
第１端、第２端及びそれらに連なる襞を有し金属素材からなる単一均質片を有するカップリング。
【請求項２１】
第１端、第２端及びそれらに連なる襞を備え、その回転軸からの放射方向距離が大きな部分では襞肉厚が小さいカップリング。
【請求項２２】
第１端、第２端及びそれらに連なる襞を備え、襞の外表面及び内表面がその軸に対し互いに異なる角度をなすカップリング。
【発明の詳細な説明】
【技術分野】
【０００１】
本発明は、可回転部材（シャフト等）間でのトルク伝達に使用され、それら可回転部材間に位置ずれがある場合はそれを吸収する可撓性カップリングに関する。
【背景技術】
【０００２】
既存の可撓性カップリングは連結にフランジ乃至スプライン連結部を使用するものであり、一方の部品から他方の部品へとトルクを伝達できるよう、また位置ずれの影響を吸収し又は解消させるよう、構成されている。
【０００３】
【特許文献１】米国特許第３４５５０１３号明細書
【特許文献２】米国特許第４８０２８８２号明細書
【特許文献３】米国特許第４３３５５８７号明細書
【特許文献４】米国特許第３６９２３３７号明細書
【特許文献５】米国特許第４２０３３０４号明細書
【特許文献６】米国特許第４３０９８７２号明細書
【特許文献７】米国特許第４８８１９２２号明細書
【特許文献８】米国特許第５４０７２３７号明細書
【特許文献９】英国特許第７６３０８９号明細書
【特許文献１０】英国特許第８２０５４４号明細書
【特許文献１１】欧州特許出願公開第０４４１６２５号明細書（Ａ１）
【特許文献１２】国際公開第ＷＯ０２／０８４８４１号パンフレット（Ａ１）
【特許文献１３】特開平６−３２３０６６号公報
【発明の開示】
【発明が解決しようとする課題】
【０００４】
可撓性カップリングには数多くの種類があるが、既存のものは何れもその可撓性が不十分である。常識的には、位置ずれトレランスを増すには可撓型要素を新たに何個か組み込めばよいが、そのようにすると重量が増し値の張る構成になるだけでなく、製造工程で新たなストレスライザが発生してカップリングに入り込むことになるのが普通である。若干可撓性が増したとしてもそれでは見返りが少なすぎる。
【０００５】
また、従来型カップリングにおける代表的な故障発生原因の一つは疲労破壊の進行である。疲労破壊の進行原因の一つはカップリング全体の可撓性の欠如即ち不撓性であり、他の一つはそのカップリングに内在する個々のストレスライザである。現在市販されているカップリングにおける（素材上及びストレスライザ面での）構造的不撓性はある程度まではそのカップリングの製造手段によるものであり、カップリングにストレスライザをもたらすプロセスとしては例えば溶接による隣接ダイアフラム間接合工程が広く知られている。例えばディスク型カップリングに溶接を施すとその組成金属に局所的な相変化が発生し、その結果として、しばしばそのカップリングのその局所領域で硬度及び熱処理特性に変化が生じる。従来型カップリングには、更に、そのカップリングが有している種々の設計要素及びそのカップリングの製造方法が原因となり、その軸スティフネスがかなり低くなることがある、という弱点がある。軸スティフネスが低いと、振動問題が発生して可撓要素が故障する可能性がある。
【０００６】
上述の問題点を含め従来技術に内在する様々な問題点は、これまで長い期間に亘り対策されてこなかった。それは、現実的な代替手段がなかったからである。従って、より持久性の高い（寿命の長い）可撓性カップリングを実現すれば、本件技術分野に多大な利益をもたらすことができよう。
【課題を解決するための手段】
【０００７】
本発明の一実施形態に係るカップリングは、第１端、第２端及びその間に位置する襞（コンボルーション）を有し、均質な単一片から形成された金属製のカップリングである。
【０００８】
本発明の他の実施形態に係る方法は、単一均質片から可撓性のあるカップリングを製造する方法であって、原初素材を機械加工することによって、単一均質片から形成され連結用の第１端、第２端及びそれらに連なる１個又は複数個の襞を有し可撓性のあるカップリングを、１個又は複数個形成する工程を有する。
【発明を実施するための最良の形態】
【０００９】
以下、まず本発明の実施形態に係るカップリングについて説明した上で、その製造方法について説明する。
【００１０】
なお、別紙参照図面中、同様の要素には一貫して同一の符号を付すこととする。
【００１１】
図１に、本発明の一実施形態に係る可撓性カップリング１０を示す。図示の通りこの可撓性カップリング１０はディスク型カップリングであり、３個の襞１４、１８及び２２を有している。但し、本発明はディスク型以外にも適用でき、また襞の個数が違う形態でも実施できる。また、このカップリング１０は第１端２６及び第２端３０を有している。第１端２６は図示しない第１シャフトに取り付けられ、第２端３０は図示しない第２シャフトに取り付けられる。更に、図示例における端２６及び端３０はフランジ（第１及び第２フランジ）であるが、フランジに限らずスプライン型連結部、ネジ式連結部、形状利用駆動式連結部（geometric drive shapes）等の構成にすることもできる。また、図中は描かれていないが、締結具を挿通するための開口をフランジ２６及び３０に設けてもよい。更に、この図では襞上に貫通口が描かれていないが、本発明を実施するに当たっては、図２に示すように開口３２を設けることができる。製造時に窒化工程を実施する場合、設けた開口が役に立つ。また、設けた開口を介し、使用時にカップリング内の湿気を逃がすこともできる。
【００１２】
図３に、可撓性カップリング１０の一部を切り欠いて示す。この図からは、カップリング１０の内部と、カップリング１０を形成している素材の厚みとを、共に看取することができる。カップリング１０の肉厚、即ちその内表面３４と外表面３８の間にある素材の厚みは一定ではなく、むしろ、カップリング１０の軸乃至回転軸からの放射方向距離が大きくなるほど小さくなるよう、後述する特定のパラメタに従い徐変させてある。更に、重要なことに、外表面３８のうち各襞の根本部分にはＲ（丸み）を付けてあり、例えば図示例のカップリング１０では外表面３８を複合Ｒ面にしてある。また、内表面３４のうち襞の根本部分には応力低減を目的として傾斜を付してある。図４に、本発明の一実施形態に係るカップリング（ディスク１）を構成する襞のうち１個の断面４４を示す。図中、断面４４に重ねて破線で示されているのは一定厚カップリング（ディスク２）の断面４６であり、当該破線の一部は断面４４の線に重なっている。また、この図では符号４０で外表面をまた符号４２で内表面をそれぞれ表している。この図は、本発明に係るカップリングにおける部位間肉厚差を示すと共に、有限要素法解析向け応力計測ポイント１〜２３を示すための図であり、当該解析の結果は図５及び図６にグラフで示してある。図５に示したのは印加したトルクに対する応力の関係であり、図６に示したのはカップリングに連結されたシャフト同士の位置ずれに対する応力の関係である。容易に看取できるように、本発明に係るカップリングの方が応力が小さくなっている。これは、本発明に係る可撓性カップリング（ディスク１）の外表面４０にＲ及びテーパが、またその内表面４２のうち最小内径部近傍に傾斜がそれぞれ付けられており、それを通じた肉厚分布の調整乃至最適化によってカップリングにおける応力の低減及び応力分布の最適化が達成されているからである。具体的には、この壁厚調整によって総応力が低減され、均一壁厚型構成にて発生する応力集中及び局所的応力増大が減るからである。図５が示すところによれば、印加トルクを負荷として算出した応力の最大値は、上述したテーパ付厚み分布によって約３３％低減されている。加えて、本カップリングでは、図６に示すように角度位置ずれによる応力のピーク値が約１８％低下しており、また応力増大効果も顕著に減ってはっきりとした応力ピークがほとんどなくなり応力分布がより均一になっている。
【００１３】
本カップリングにおいては、カップリング軸からの放射方向距離が大きくなるほど襞断面が薄くなるようにしてあるため、カップリングとしての軸スティフネス及び曲げスティフネスが最適になり、それに伴い振動数特性がシフトし共鳴振動数が離調する。これは、その肉厚が一定でスティフネス制御に制約乃至限界がある他種カップリングに対し有利な点である。即ち、スティフネス制御に制約があるカップリングでは、ドライブトレーン振動という問題が発生し、ひいては取付ポイント例えばボルト締めしたフランジやスプラインにて摩耗が発生することがあった。更に、そうしたカップリングが組み込まれた従来型システムでは、そのカップリングによってもたらされる振動により可撓要素故障が発生することがあった。
【００１４】
更に、可撓性カップリング１０は様々な素材から製造できる。例えば、チタン、耐食鋼、炭素鋼、高力鋼（例えばマルエイジング鋼）、ニッケル系素材（例えばＩｎｃｏｎｅｌ（登録商標））等の素材や、これらのうち少なくとも一種類を含む合成素材である。また、既知の窒化工程を実施し硬質で厚みのある窒化物外殻を形成することによって、本カップリングの持久性を高めることができる。特に深い襞を本カップリングに設ける場合、気相窒化法を用いるのが望ましい。
【００１５】
但し、素材選定それ自体よりは、全体として素材特性及び疲労耐性にほぼムラのない素材を採用することによって、優れた素材特性と優れた疲労耐性とを併有するカップリングを得ることが、重要である。即ち、素材特性及び疲労耐性に組成的構造的なムラがあると局所的ストレスライザが生じる恐れがあるので、本発明に係るカップリングにおいてはその回避を図っている。素材特性及び疲労耐性双方のムラをなくすことは、本件技術分野では面倒なこととされその面倒を避けるのが通例であったが、本発明に係るカップリングにおいてはそれを図り並はずれた強度及び持久性を実現している。例えば、従来は自明な理由からカップリング例えばディスクの最外縁部に溶接或いは接合を施していたが、本発明に係るカップリングにおいては、カップリング素材の素材特性或いは疲労耐性に影響を及ぼしかねない溶接や接合を排している。このように溶接箇所や接合箇所がなく、しかもカップリング軸からの距離が大きい場所程カップリング肉厚が薄くなるようにしてあるため、本発明に係るカップリングの重心は従来型カップリングで実現できた重心位置よりも放射方向沿いに見て内側に位置することとなる。これは、従来型カップリングに対する本発明に係るカップリングの長所の一つである。即ち、放射方向重心位置がカップリング軸に近いので、例えば同程度の寸法だがその重心位置がカップリング軸から見てより外側にある（重心位置がカップリング回転軸から遠い）カップリングに比べて、カップリングに作用する遠心力がかなり小さくなる点で、有益である。
【００１６】
図７及び図８に、本発明の他の実施形態に係るカップリングを示す。このカップリングは先に示した実施形態と同じ思想に基づくものであるが、その構成が基本的に表裏反転している。本実施形態は、軸方向に貫く開口１００の直径を小さくする必要があり、そのためカップリング寸法制約上その内側から機械加工で深い溝を刻むことが許されない用途に、適している。本実施形態に係るカップリング１１０の端１２６及び１３０は、カップリング１１０の径方向に沿ってみると、ほとんどカップリング１１０外ともいいうるほど外よりの場所にある。ご理解頂けるように、こうしたカップリング１１０を機械加工によって製作するには、外側からの機械加工を内側からの機械加工に比べて長いリーチで行い、内側機械加工の深さを最小限に抑えるようにする。どのような種類の内側機械加工を施すにしても、使用するカッターのブレード長からそれを支持する部材のブレード方向寸法を減じた長さによって深さが制限されるので、カップリングに小径開口を設けたい場合も同様に、内側機械加工で実現できる深さが限られることになる。図７及び図８に示す実施形態は、前述の実施形態にて得られる強度及び持久性をかなりの程度保ちながらこの問題に対処するものであり、図示の如く２個の襞を有するカップリング１１０として形成されている。このカップリング１１０における最も深い機械加工面は１５０であり、一見して理解できるようにその他にも深さの異なる２箇所の機械加工面１５２及び１５４がある。後者即ち機械加工面１５２及び１５４は、最深の機械加工面１５０に比べるとかなり浅いので、カップリング１１０の内法に嵌められる小型カッターでの機械加工によって、形成することができる。なお、図面上は端１２６及び１３０に駆動手段や連結手段が併設されていないが、ご理解頂けるように、前述した種々の部材乃至装置をここに設けることができる。
【００１７】
また前述の各実施形態に係るカップリングについて、単一素材片に対する機械加工によって形成する旨説明したが、そうした機械加工工程はこれまでこの分野ではなしえなかったことである。それは、常識的に、深さのある内側機械加工を行うには支持型切削ツールが必要であり、実現したいカップリングにおける端部直径対内側機械加工部分直径比からみて、そうした支持型切削ツールを用いたのでは本発明に係るカップリングを製作できないためである。より詳細には、使用する切削ツールは少なくとも片側の端部開口に嵌めうるものでなくてはならず、しかも襞の深部構造を機械加工するのに十分な長さのあるものでなくてはならないが、非支持型ツールを用いたのでは、既知の通り、長尺切削ブレードの先端にある切削面にて止めどなくチャタリングが発生してしまう。本発明に係るカップリングを製作する際には、チャタリングを起こしているカッターではカップリングに表面不整が生じそれが潜在的なストレスライザ効果をもたらすこととなるので、チャタリングは、全くのところ許容できないものである。
【００１８】
本件技術分野における習熟者（いわゆる当業者）の中には、上述のような事情に基づき、本発明に係るカップリングは機械加工では製造できないのだと早合点してしまう者もあるかもしれない。しかしながら、本発明の発明者が開発した切削ツールを用いれば、チャタリング及びそれに付随する有害な現象を回避しつつ、本発明に係るカップリングを機械加工によって製作することができる。図９に、その旋削ツール２００を示す。このツール２００の実装シャフトにはクリアランスを確保するための部分２０２が設けられており、当該クリアランス提供部２０２の先端はブレード２０４になっており、そのブレード２０４上にはカッター２０６が設けられている。ブレード２０４の実効切削長は図中小文字のｌで表されており、またこのブレード２０４は非支持型である。使用時には、この旋削ツール２００を固定した状態でカップリング素材乃至半製品を回転させることによって、素材を部分的に除去して本発明に係るカップリング例えば１０を切り出す。ブレード２０４の形状及び組成（コバルト又はそれと等価な素材特性を有する素材）には十分に強度がありチャタリングを起こさないので、ブレード２０４の全切削部長を利用してカップリング１０の内側を機械加工により形成することができる。また、使用するツール２００のブレード全長ｙは、切り出したいカップリング１０の端部のうち少なくとも何れか（例えば２６又は２８）の内法より短くなければならない。この条件が成り立っていれば、カップリング半製品の内法にブレード２０４を嵌めて機械加工により襞を形成することができる。複数個の襞を有するカップリングを形成したい場合は、ブレード全長ｙを、各襞の根本部分における内法よりも短くしなければならない。この条件が成り立っていれば、カップリング内部にブレード２０４を通して各襞の内表面に到達させ、そこを機械加工することができる。
【００１９】
各襞の内表面加工に際しては、各襞深奥部内壁６０及び６２（図１０参照）を、互いに実質的に平行に保ちつつ、カップリング１０の軸に実質的に直交する面内に保つようにする。そうすれば機械加工を容易に行える。但し、襞深奥部先端壁面上、図中６４及び６６で示される箇所にはＲを付ける。そのため、本方法によりカップリングを製造する際には、襞の幅より狭いカッターを用いることも肝要である。そうしたカッターであれば、襞深さ方向移動とそれに交差する方向における直線移動とを同時調整することにより、図示の如き丸み付コーナ部６４及び６６を好適に形成することができる。また、図４に示した傾斜面（面取り部分）４２も機械加工によって比較的容易に形成できる。この傾斜面４２は、複合Ｒ面である外表面４０と共に、応力を低減し応力分布を最適化する役に立つ。
【００２０】
前述の旋削ツールは図示しないコンピュータ数値制御型旋盤と併用する。本発明に係るカップリングは、カップリング素材の単一片から旋削によって製造することができるので、単一均質片型可撓性カップリングとなる。即ち、例えばカップリング１０は単一均質片型の構成であるため全体として素材特性及び疲労耐性にムラがなく、しかも溶接部分もないので、どの部分でも、素材特性又は疲労耐性のムラで故障が生じる可能性が低い。また、素材特性及び疲労耐性は、溶接を行うと公称熱処理特性より悪くなるが、気相窒化法であれば改善される。更に、溶接、接合等、その素材の素材特性及び疲労耐性に影響を及ぼす取付方法を使用したカップリングの動作寿命長に比べ、カップリング１０の動作寿命長は長く、またその終期をより正確に予測できる。加えて、溶接、接合等の連結工程を用いた従来型アセンブリは、連結工程の再現性が劣るために品質上の一定性に欠けることが解っている。更に、カップリング製造に当たり熱の発生を伴う取付方法を使用しないため、本発明に係るカップリングは機械加工前に予熱処理に供することができる。これは、予熱工程でもたらされる有益な効果が後工程で悪影響を受ける恐れがないからである。
【００２１】
また、本発明に係る可撓性カップリング例えば１０の加工方法についてコンピュータ制御による旋盤加工を念頭に置いて説明してきたが、襞にストレスライザを発生させる溶接等の接合方法を用いない限り、他種機械加工方法を用いることもできる。用いることができる機械加工方法としては、例えば放電加工（ＥＤＭ）や電解加工（ＥＣＭ）がある。
【００２２】
更に、第１、第２等々の語を用いたが、それは、順序や優先順位を示す趣旨ではなく、単に要素間の区別のためである。
【００２３】
また、本発明に係るカップリングにて本件技術分野で既知のアンチフレイルベアリングを用いることもできる。アンチフレイルベアリングは補助中心出し装置であり、これを用いることによって中心線を正確に維持し、襞のうち１個が壊れた等の不測事態においても回転を継続させることができる。アンチフレイルベアリングは、炭素鋼や耐食素材（Ｃｒｏｎｉｄｕｒ  ３０、ＸＤ−１５、ＸＤ−１５ＮＷ、セラミクス、耐食鋼、プラスチック等）から形成された高速ボールベアリングと、ポリテトラフルオロエチレン（ＰＴＦＥ）その他の専用フィラによる混成マトリクスを含み高速ボールベアリングの内径面上又は外径面上に配置された専用の自動潤滑ライナ系との組合せであり、これを用いることによってそのアンチフレイル動作中はカップリング軸の位置ずれを許容することができる。アンチフレイルベアリングは概ね本件技術分野にて知られているが、既知のシステムを本発明にて使用する際には、優れた性能を発揮できるよう選択した素材に応じた変形を施すようにする。
【００２４】
以上、その好適な実施形態を参照しつつ本発明に係る装置及び方法について説明したが、いわゆる当業者であれば理解できるように、説明した実施形態に対して本発明の技術的範囲内で様々な変形を施すことや、説明した実施形態の構成要素を本発明の技術的範囲内でその均等物に置換することも可能である。加えて、説明した装置及び方法に対し、使用する素材や使用される状況に応じ且つ本発明の技術的範囲を逸脱しないで、様々な変形を施すことが可能である。即ち、本発明は、本願中に本発明の実施に適するものとして説明した特定形態の装置及び方法に限定して認定されるべきではなく、別紙特許請求の範囲に記載の発明の技術的範囲に属するあらゆる実施形態を包含するものとして認定されるべきである。
【図面の簡単な説明】
【００２５】
【図１】一実施形態に係るカップリングの斜視図である。
【図２】図１に示したカップリングの側面図である。
【図３】図１に示したカップリングの切欠斜視図である。
【図４】一定厚カップリング及び本発明に係るカップリングについて応力解析ポイント群を示す断面図である。
【図５】図４に示したポイントにおけるトルク起因応力を示すグラフである。
【図６】図４に示したポイントにおける角度位置ずれ起因応力を示すグラフである。
【図７】他の実施形態に係るカップリングの断面図である。
【図８】図７に示したカップリングの斜視図である。
【図９】本発明に係るカップリングの製造に用いる旋削ツールの模式的斜視図である。
【図１０】深部機械加工により形成した襞の内部形状を示す断面図である。
【図１】
2008516174.tif 000003
【図２】
2008516174.tif 000004
【図３】
2008516174.tif 000005
【図４】
2008516174.tif 000006
【図５】
2008516174.tif 000007
【図６】
2008516174.tif 000008
【図７】
2008516174.tif 000009
【図８】
2008516174.tif 000010
【図９】
2008516174.tif 000011
【図１０】
2008516174.tif 000012
【手続補正書】
【提出日】平成18年5月15日(2006.5.15)
【手続補正１】
【補正対象書類名】特許請求の範囲
【補正対象項目名】全文
【補正方法】変更
【補正の内容】
【特許請求の範囲】
【請求項１】
第１端、第２端及びその間に位置し本カップリングの軸に対して実質的に直交する襞を有し、均質な単一片から形成されており、上記軸からの放射方向距離によって襞肉厚が異なる金属製のカップリング。
【請求項２】
請求項１記載のカップリングであって、その回転軸からの放射方向距離が小さな部分では襞肉厚が大きいカップリング。
【請求項３】
請求項１記載のカップリングであって、その内法が円筒状であるカップリング。
【請求項４】
請求項１記載のカップリングであって、第１端及び第２端に連結部が設けられたカップリング。
【請求項５】
請求項４記載のカップリングであって、第１端及び第２端の連結部がフランジであるカップリング。
【請求項６】
請求項４記載のカップリングであって、第１端及び第２端の連結部がスプライン型連結部であるカップリング。
【請求項７】
請求項１記載のカップリングであって、その放射方向外寄り位置に開口が少なくとも１個あるカップリング。
【請求項８】
可撓性のある金属製のカップリングであって、
第１端、第２端及びそれらに連なる第１襞を備え、
単一均質片によって形成されたカップリング。
【請求項９】
請求項８記載のカップリングであって、チタン、耐食鋼、高力鋼、ニッケル系素材、炭素鋼及びマルエイジング鋼並びにそれらのうち少なくとも一種類を含む合成素材のうち、何れかの素材によって形成されたカップリング。
【請求項１０】
請求項８記載のカップリングであって、窒化により疲労耐性及び耐摩耗性を向上させたカップリング。
【請求項１１】
単一均質片から可撓性のあるカップリングを製造する方法であって、
原初素材を機械加工することによって、単一均質片から形成され連結用の第１端、第２端及びそれらに連なりカップリングの軸に対して実質的に直交する１個又は複数個の襞を有し可撓性があり上記軸からの放射方向距離によって襞肉厚が異なるカップリングを、１個又は複数個形成する工程を有する方法。
【請求項１２】
請求項１１記載の方法であって、上記機械加工が、コンピュータ制御による旋盤加工、放電加工及び電解加工のうち一種類を含む方法。
【請求項１３】
請求項１１記載の方法であって、カップリングを窒化する工程を有する方法。
【請求項１４】
請求項１１記載の方法であって、原初素材を予熱処理する工程を有する方法。
【請求項１５】
請求項１１記載の方法であって、カップリングを後熱処理する工程を有する方法。
【請求項１６】
請求項１１記載の方法であって、上記機械加工が、内表面と外表面とで異なる傾斜になるよう、カップリングの軸に対し各襞の外表面及び内表面を傾斜させる加工を含む方法。
【請求項１７】
請求項１１記載の方法であって、上記機械加工が、カップリングの軸からの放射方向距離の増大に応じたテーパを襞肉厚に付す加工を含む方法。
【請求項１８】
請求項１１記載の方法であって、カップリングの軸スティフネス及び曲げスティフネスを調整して振動数特性シフト又は共鳴振動数離調を引き起こす工程を有する方法。
【請求項１９】
第１端、第２端及びそれらに連なる襞を有し金属素材からなる単一均質片を有するカップリング。
【請求項２０】
第１端、第２端及びそれらに連なる襞を備え、その回転軸からの放射方向距離が大きな部分では襞肉厚が小さく、第１端及び第２端のうち少なくとも一方の内法以下の内法を有する部分を有するカップリング。
【請求項２１】
第１端、第２端及びそれらに連なる襞を備え、襞の外表面及び内表面がその軸に対し互いに異なる角度をなすカップリング。
【国際調査報告】
2008516174.tif 000013
2008516174.tif 000014
2008516174.tif 000015